【手続補正書】
【提出日】平成15年5月21日(2003.5.21)
【手続補正１】
【補正対象書類名】明細書
【補正対象項目名】特許請求の範囲
【補正方法】変更
【補正の内容】
【特許請求の範囲】
【請求項１】
（ａ）上面と、下面と、互いに離間した第１の端部と第２の端部とを有するシェルと、
（ｂ）少なくとも前記シェルに結合されたステアリングアッセンブリ−と、
（ｃ）上面と下面とを夫々有し、細長い第１のランナー及び第２のランナーと、
（ｄ）前記シェルと、第１のランナー並びに第２のランナーの少なくとも一方との間に延び、第１のランナーもしくは第２のランナーの、シェルに対する摺動ではなく回動を可能にするピボットアッセンブリーと、
（ｅ）前記シェルと、第１のランナー並びに第２のランナーの少なくとも一方との間に延び、第１のランナー並びに第２のランナーの少なくとも一方の、シェルに対する摺動及び回動を可能にする第１の取り付けアッセンブリーとを具備する、雪面をトラバースするためのそり。
【請求項２】
前記ステアリングアッセンブリーは、このステアリングアッセンブリーにかけられた負荷に応じて、第１のランナーと第２のランナーとを、第１の取り付けアッセンブリーで摺動及び回動させ、ピボットアッセンブリーで回動させるように、前記シェルの第１の端部に回動可能に取り付けられた第１の端部と、第１のランナーと第２のランナーとの各々に取り付けられた第２の端部とを有する請求項１のそり。
【請求項３】
第２の取り付けアッセンブリーと、第３の取り付けアッセンブリーとを更に具備し、これら第２の取り付けアッセンブリーと、第３の取り付けアッセンブリーは、シェルと第１のランナーとの間と、シェルと第２のランナーとの間に夫々延び、第１のランナー及び第２のランナーの、シェルに対する摺動及び回動を可能にする請求項１のそり。
【請求項４】
前記ステアリングアッセンブリーは、このステアリングアッセンブリーにかけられた負荷に応じて、第１のランナーと第２のランナーとを、円弧状に曲げ、かくして、第１の取り付けアッセンブリー、第２の取り付けアッセンブリー、第３の取り付けアッセンブリーで摺動及び回動させ、ピボットアッセンブリーで回動させるように、シェルの第１の端部に回動可能なように取り付けられた第１の端部と、第１のランナーと第２のランナーとの各々に取り付けられた第２の端部とを有する請求項３のそり。
【請求項５】
前記ステアリングアッセンブリーは、このステアリングアッセンブリーにかけられた負荷に応じて、第１のランナーと第２のランナーとを、曲げ、かくして、これらランナーを、第１の取り付けアッセンブリー、第２の取り付けアッセンブリー、第３の取り付けアッセンブリーで摺動及び回動させ、ピボットアッセンブリーで回動させるように、シェルの第１の端部に回動が可能なように取り付けられた第１の端部と、第１のランナーと第２のランナーの一方に取り付けられた第２の端部とを有する請求項３のそり。
【請求項６】
前記ステアリングアッセンブリーは、シェルの第１の端部と第２の端部との間に延びた長軸に沿って調節可能である請求項５のそり。
【請求項７】
前記ステアリングアッセンブリーは、ステアリングヨークとステアリングバーとを有し、このステアリングヨークの一端部は、回動が可能なようにシェルに取り付けられ、他端部は、ステアリングバーに取り付けられ、また、このステアリングバーは、ステアリングアッセンブリーにかけられた負荷に応じて、第１のランナーと第２のランナーとを、第１の取り付けアッセンブリーで摺動及び回動させ、ピボットアッセンブリーで回動させるように、第１のランナー並びに第２のランナーの一方に取り付けられた部分を有する請求項１のそり。
【請求項８】
前記ステアリングアッセンブリーは、シェルの第１の端部と第２の端部との間に延びた長軸に沿って調節可能なように位置されている請求項７のそり。
【請求項９】
前記シェルは、使用者をそりの中に制限するのを助け、また、そりのステアリングを助けるために、使用中にそりのモーメントを抑えるように適合された隆起部を有する請求項１のそり。
【請求項１０】
前記ステアリングアッセンブリーは、一体的に形成された腕支持部を有し、各腕支持部は、使用者をそりの中に制限し、そりのステアリングを助けるために、使用中にそりの腕部を受けられるサイズ及び構成にされている請求項９のそり。
【請求項１１】
前記ステアリングアッセンブリーは、一体的に形成された腕支持部を有し、各腕支持部は、使用者をそりの中に制限し、そりのステアリングを助けるために、使用中にそりの腕部を受けられるサイズ及び構成にされている請求項１のそり。
【請求項１２】
前記第１のランナーと第２のランナーとの上面は、ピボットアッセンブリー及び第１の取り付けアッセンブリーと摺動可能にカップリングされるようなサイズ及び構成にされている請求項１のそり。
【請求項１３】
前記第１のランナーと第２のランナーの下面は、第１のランナーと第２のランナーの下面とそりがトラバースする雪面との間の摩擦を減じるように弓形である請求項１２のそり。
【請求項１４】
（ａ）上面と、下面と、長軸方向で互いに離間した第１の端部と第２の端部とを有する本体シェルと、
（ｂ）上面と下面とを夫々有する細長い第１のランナー及び第２のランナーと、
（ｃ）前記本体シェルに結合された１つの端部と、第１のランナー及び第２のランナーに結合された第２の端部とを有するステアリングアッセンブリーと、
（ｄ）前記本体シェルと、第１のランナー並びに第２のランナーの少なくとも一方との間に延び、第１のランナーもしくは第２のランナーの、本体シェルに対する摺動でなく回動を可能にするピボット結合体と、
（ｅ）前記本体シェルと、第１のランナー並びに第２のランナーの少なくとも一方との間に延び、第１のランナー及び第２のランナーの、本体シェルに対する摺動運動及び回動を可能にする第１のピボット及び摺動結合体とを具備する、雪面をトラバースするためのそり
【請求項１５】
（ａ）上面と、下面と、長軸方向で互いに離間した第１の端部と第２の端部とを有し、使用者をそりの中に制限し、そりのステアリングを助けるように使用中にそりのモーメントを抑えるようなサイズ及び構成にされ、一体的に形成された身体支持部を有する本体シェルと、
（ｂ）上面と下面とを夫々有する細長い第１のランナー及び第２のランナーと、
（ｃ）前記本体シェルに結合された１つの端部と、第１及び第２のランナーに結合された第２の端部とを有するステアリングアッセンブリーと、
（ｄ）前記本体シェルと第１のランナー並びに第２のランナーの少なくとも一方との間に延び、第１のランナーと第２のランナーとの、本体シェルに対する摺動でなく回動を可能にするピボット結合体と、
（ｅ）前記本体シェルと、第１のランナー並びに第２のランナーの少なくとも一方との間に延び、第１のランナーと第２のランナーとの、本体シェルに対する摺動及び回動を可能にする第１のピボット及び摺動結合体とを具備する、雪面をトラバースするためのそり。
【請求項１６】
（ａ）上面と、下面と、長軸方向で互いに離間した第１の端部と第２の端部とを有し、使用者をそりの中に制限し、そりのステアリングを助けるように、使用中にそりの前進及び横方向への動きを抑えるようなサイズ及び構成にされ、一体的に形成された身体支持部を有する本体シェルと、
（ｂ）上面と下面とを夫々有する細長い第１のランナー及び第２のランナーと、
（ｃ）前記本体シェルに結合された１つの端部と、第１及び第２のランナーに結合された第２の端部とを有するステアリングアッセンブリーと、
（ｄ）前記本体シェルと、第１のランナー並びに第２のランナーの少なくとも一方との間に延び、第１のランナーもしくは第２のランナーの、本体シェルに対する摺動でなく回動を可能にするピボット結合体と、
（ｅ）前記本体シェルと、第１のランナー並びに第２のランナーの少なくとも一方との間に延び、第１のランナー及び第２のランナーの、本体シェルに対する摺動及び回動を可能にする第１のピボット及び摺動結合体とを具備する、雪面をトラバースするためのそり。
【請求項１７】
（ａ）上面と下面とを有するシェルと、
（ｂ）前記シェルに結合されたステアリングアッセンブリ−と、
（ｃ）上面と下面とを夫々に有する第１のランナー及び第２のランナーと、
（ｄ）前記シェルと第１のランナーとの間に延び、第１のランナーの摺動ではなく回動を可能にするピボットアッセンブリーと、
（ｅ）前記シェルと第１のランナーとの間に延び、第１のランナーの摺動及び回動を可能にする第１のピボット及び摺動アッセンブリーとを具備する、雪面をトラバースするためのそり。